(57)【要約】【課題】原稿読取開始後にユーザの手を煩わせることなく、原稿の画像に応じた読取処理を行う。【解決手段】自動選択スキャン処理の開始操作を受け付ける受付部（Ｓ１５）と、自動選択スキャン処理の開始操作が受け付けられた場合、最初に読み取りが行われる原稿の第２面を第１読取条件で両面読取部５０に読み取らせる第１制御部（Ｓ６１、Ｓ８１）と、読み取った前記第２面の画像に裏写りする前記第１面の画像を解析することにより、前記第１面の画像の種類を判別する解析処理を行う解析部（Ｓ６５、Ｓ８５）と、前記解析部により判別された画像の種類に対応した第２読取条件で原稿の前記第１面を前記両面読取部に読み取らせる第２制御部（Ｓ７１、Ｓ９１）とを備える。【選択図】図７
2012147382.tif 000002
【特許請求の範囲】
【請求項１】
原稿を読取位置へ搬送する原稿搬送部と、
前記読取位置に搬送された原稿に光を照射して、その反射光を受光することで原稿の画像を読み取る動作を、原稿の第２面と第１面に対して順番に行って原稿の両面の画像を読み取る両面読取部と、
画像の種類に応じた読み取り条件を自動選択して原稿の前記第１面の画像を読み取る自動選択スキャン処理の開始操作を受け付ける受付部と、
前記自動選択スキャン処理の開始操作が受け付けられた場合、最初に読み取りが行われる原稿の前記第２面を、解析処理用として設定された第１読取条件で、前記両面読取部に読み取らせる第１制御部と、
前記第１読取条件で読み取った前記第２面の画像に裏写りする前記第１面の画像を解析することにより、前記第１面の画像の種類を判別する解析処理を行う解析部と、
前記解析部により判別された画像の種類に対応した第２読取条件で、原稿の前記第１面を前記両面読取部に読み取らせる第２制御部とを備えた画像読取装置。
【請求項２】
前記自動選択スキャン処理と、前記読み取り条件をユーザの入力操作により設定する通常スキャン処理とを選択させる選択部を備え、
前記自動選択スキャン処理の選択後、前記受付部にて前記開始操作が受け付けられた場合に、前記第１制御部は、前記第１読取条件として、前記両面読取部に設けられた光源から原稿に向けて照射する光の光量を、前記通常スキャン処理時の光量より大きく設定する請求項１に記載の画像読取装置。
【請求項３】
前記自動選択スキャン処理と、前記読み取り条件をユーザの入力操作により設定する通常スキャン処理とを選択させる選択部を備え、
前記自動選択スキャン処理の選択後、前記受付部にて前記開始操作が受け付けられた場合に、前記第１制御部は、前記第１読取条件として、前記両面読取部による原稿の読取速度を、前記通常スキャン処理時の読取速度より遅く設定する請求項１又は請求項２に記載の画像読取装置。
【請求項４】
前記両面読取部は前記読取位置にて原稿の画像を読み取る読取部と、読み取り後の原稿を反転させて前記読取位置に送り返す反転部とを備えた構成である請求項１ないし請求項３のいずれか一項に記載の画像読取装置。
【請求項５】
前記受付部にて前記開始操作が受け付けられた場合に、前記原稿搬送部に対して原稿を裏返した状態でセットする旨のメッセージを表示する表示部を備える請求項４に記載の画像読取装置。
【請求項６】
前記両面読取部は、第２読取位置にて原稿の前記第２面の画像を読み取る第２読取部と、前記第２読取位置より下流側に設けられた第１読取位置にて原稿の前記第１面の画像を読み取る第１読取部とを備える請求項１ないし請求項３のいずれか一項に記載の画像読取装置。
【請求項７】
第２読取位置と第１読取位置を順に通る搬送路に沿って原稿を搬送する原稿搬送部と、
前記第２読取位置に搬送された原稿の第２面に光を照射して、その反射光を受光することで原稿の前記第２面の画像を読み取る第２読取部と、前記第１読取位置に搬送された原稿の第１面に光を照射して、その反射光を受光することで原稿の前記第１面の画像を読み取る第１読取部とを備えた両面読取部と、
原稿の前記第２面を、解析処理用として設定された第１読取条件で、前記両面読取部の前記第２読取部に読み取らせる第１制御部と、
前記第１読取条件で読み取らせた前記第２面の画像に裏写りする前記第１面の画像を解析することにより、前記第１面の画像の種類を判別する解析処理を行う解析部と、
前記解析部により判別された画像の種類に対応した第２読取条件で、原稿の前記第１面を前記両面読取部の第１読取部に読み取らせる第２制御部とを備えた画像読取装置。
【請求項８】
前記第１読取条件で読み取らせた解析処理用の画像データが、前記第２面に前記第１面の画像が裏写りした画像データのみであるか否かを判定する判定部を備え、
前記判定部により、前記解析処理用の画像データは裏写りした画像データのみであると判定された場合、前記解析部は前記解析処理を行い、
前記判定部により、前記解析処理用の画像データは裏写りした画像データのみでないと判定された場合、前記第２制御部はユーザの入力操作により設定された読取条件で、前記両面読取部の第１読取部に前記原稿の第１面を読み取らせる請求項７に記載の画像読取装置。
【請求項９】
前記判定部は、前記解析処理用の画像データの最高濃度が基準値未満である場合に、前記裏写りした画像データのみであると判定する請求項８に記載の画像読取装置。
【請求項１０】
前記第２制御部は前記解析部による解析結果に関係なく、原稿の前記第１面の画像を読み取る時に、前記両面読取部に設けられた光源から原稿に向けて照射する光の光量を、原稿の前記第２面を読み取る時の光量より下げる請求項１ないし請求項９のいずれか一項に記載の画像読取装置。
【請求項１１】
前記第２制御部は前記解析部による解析結果に関係なく、原稿の前記第１面の画像を読み取る時の読取速度を、原稿の前記第２面の画像を読み取る時の読取速度より速くする請求項１ないし請求項１０のいずれか一項に記載の画像読取装置。
【請求項１２】
前記解析部は、前記解析処理用の画像データに対して、濃度の低い領域について濃度を高くする濃度補正処理を行い、前記濃度補正処理後の画像データを対象に前記解析処理を行う請求項１ないし請求項１１のいずれか一項に記載の画像読取装置。
【請求項１３】
前記解析処理中、前記解析処理用の画像データを一時記憶するメモリと、
前記解析部による解析処理の終了後、前記解析処理用の画像データを前記メモリから消去する画像データ消去部とを備える請求項１ないし請求項１２のいずれか一項に記載の画像読取装置。
【請求項１４】
前記第１制御部は、前記解析処理用の画像データが読み取れた場合には、前記原稿の第２面のうち、残るラインの画像データは読み取らないように前記両面読取部を制御する請求項１ないし請求項１３のいずれか一項に記載の画像読取装置。
【請求項１５】
前記第１読取条件はカラー読み取りであり、
前記第２制御部は、前記解析処理の結果、前記第２面に裏写りした前記第１面の画像がカラー画像であった場合には、原稿の前記第１面を前記両面読取部にカラー読み取りさせ、
前記解析処理の結果、前記第２面に裏写りした前記第１面の画像がモノクロ画像であった場合には、原稿の前記第１面を前記両面読取部にモノクロ読み取りさせる請求項１ないし請求項１４のいずれか一項に記載の画像読取装置。
【請求項１６】
請求項１ないし請求項１５に記載の画像読取装置と、
前記画像読取装置により読み取った画像を被記録媒体に形成する画像形成部と、を備えた画像形成装置。
【発明の詳細な説明】
【技術分野】
【０００１】
本発明は、画像読取装置及び画像形成装置に関する。
【背景技術】
【０００２】
下記特許文献１には、画像読取部にて読み取った画像を１枚ずつ解析して画像の種類（カラー画像、モノクロ画像、文書画像）を判別し、ページ毎の印刷条件の候補を、ユーザに提示する技術が開示されている。
【先行技術文献】
【特許文献】
【０００３】
【特許文献１】特開２０１０−００２４６２号公報
【発明の概要】
【発明が解決しようとする課題】
【０００４】
上記のものは、画像の種類に応じた印刷方法で印刷できるというメリットがある。しかし、印刷方法の選択は、ユーザに任せられているから、ユーザの手を煩わせることになりかねず、使い勝手が悪い。このような問題は、原稿を読み取る場合にも起こる。すなわち、原稿の読み取りは、原稿の種類に応じた読取条件で行うことが好ましい。例えば、原稿がカラー画像であればカラーで読み取るようにし、モノクロ画像であれば、モノクロで読み取るようにすることが好ましい。しかし、読取条件をユーザに選択させるようにすると、ユーザの手を煩わせることになりかねず、使い勝手が悪い。
【０００５】
本発明は上記のような事情に基づいて完成されたものであって、原稿読取開始後にユーザの手を煩わせることなく、原稿の画像の種類に応じた読取処理を行うことを目的とする。
【課題を解決するための手段】
【０００６】
本明細書によって開示される第１の画像読取装置は、原稿を読取位置へ搬送する原稿搬送部と、前記読取位置に搬送された原稿に光を照射して、その反射光を受光することで原稿の画像を読み取る動作を、原稿の第２面と第１面に対して順番に行って原稿の両面の画像を読み取る両面読取部と、画像の種類に応じた読み取り条件を自動選択して原稿の前記第１面の画像を読み取る自動選択スキャン処理の開始操作を受け付ける受付部と、前記自動選択スキャン処理の開始操作が受け付けられた場合、最初に読み取りが行われる原稿の前記第２面を、解析処理用として設定された第１読取条件で、前記両面読取部に読み取らせる第１制御部と、前記第１読取条件で読み取った前記第２面の画像に裏写りする前記第１面の画像を解析することにより、前記第１面の画像の種類を判別する解析処理を行う解析部と、前記解析部により判別された画像の種類に対応した第２読取条件で、原稿の前記第１面を前記両面読取部に読み取らせる第２制御部とを備えた構成である。この構成では、原稿の第２面を第１読取条件で読み取って、得られた画像（具体的には、第２面に透けて裏写りする第１面の画像）から第一面の画像の種類を判別するようにしている。そのため、原稿の第１面を、画像の種類に応じた第２読取条件で読み取ることが可能となる。しかも、第２読取条件は自動選択されるので、ユーザの手を煩わすことがない。
【０００７】
また、上記第１の画像読取装置において、前記自動選択スキャン処理と、前記読み取り条件をユーザの入力操作により設定する通常スキャン処理とを選択させる選択部を備え、前記自動選択スキャン処理の選択後、前記受付部にて前記開始操作が受け付けられた場合に、前記第１制御部は、前記第１読取条件として、前記両面読取部に設けられた光源から原稿に向けて照射される光の光量を、前記通常スキャン処理時の光量より大きく設定してもよい。
【０００８】
また、上記第１の画像読取装置において、前記自動選択スキャン処理と、前記読み取り条件をユーザの入力操作により設定する通常スキャン処理とを選択させる選択部を備え、前記自動選択スキャン処理の選択後、前記受付部にて前記開始操作が受け付けられた場合に、前記第１制御部は、前記自動選択スキャン処理が選択された場合、前記第１読取条件として、前記両面読取部による原稿の読取速度を、前記通常スキャン処理時の読取速度より遅くしてもよい。
【０００９】
また、上記第１の画像読取装置において、前記両面読取部は前記読取位置にて原稿の画像を読み取る読取部と、読み取り後の原稿を反転させて前記読取位置に送り返す反転部とを備えた構成としてもよい。
【００１０】
また、前記受付部にて前記開始操作が受け付けられた場合に、前記原稿搬送部に対して原稿を裏返した状態でセットする旨のメッセージを表示する表示部を備える構成としてもよい。
【００１１】
また、上記第１の画像読取装置において、前記両面読取部は、第２読取位置にて前記原稿の第２面の画像を読み取る第２読取部と、前記第２読取位置より下流側に設けられた第１読取位置にて前記原稿の第１面の画像を読み取る構成としてもよい。
【００１２】
本明細書によって開示される第２の画像読取装置は、第２読取位置と第１読取位置を順に通る搬送路に沿って原稿を搬送する原稿搬送部と、前記第２読取位置に搬送された原稿の第２面に光を照射して、その反射光を受光することで原稿の前記第２面の画像を読み取る第２読取部と、前記第１読取位置に搬送された原稿の第１面に光を照射して、その反射光を受光することで原稿の前記第１面の画像を読み取る第１読取部とを備えた両面読取部と、原稿の前記第２面を、解析処理用として設定された第１読取条件で、前記両面読取部の前記第２読取部に読み取らせる第１制御部と、前記第１読取条件で読み取らせた前記第２面の画像に裏写りする前記第１面の画像を解析することにより、前記第１面の画像の種類を判別する解析処理を行う解析部と、前記解析部により判別された画像の種類に対応した第２読取条件で、原稿の前記第１面を前記両面読取部の第１読取部に読み取らせる第２制御部とを備えた構成である。この構成では、原稿の第２面を第１読取条件で読み取って、得られた画像（具体的には、第２面の画像に裏写りする第１面の画像）から第一面の画像の種類を判別するようにしている。そのため、原稿の第１面を、画像の種類に応じた第２読取条件で読み取ることが可能となる。しかも、第２読取条件は自動選択されるので、ユーザの手を煩わすことがない。
【００１３】
また、上記第２の画像読取装置において、前記第１読取条件で読み取らせた解析処理用の画像データが、前記第２面に前記第１面の画像が裏写りした画像データのみであるか否かを判定する判定部を備え、前記判定部により、前記解析処理用の画像データは裏写りした画像データのみであると判定された場合、前記解析部は前記解析処理を行い、
前記判定部により、前記解析処理用の画像データは裏写りした画像データのみでないと判定された場合、前記第２制御部はユーザの入力操作により設定された読取条件で、前記両面読取部の第１読取部に前記原稿の第１面を読み取らせる。
【００１４】
また、上記第２の画像読取装置において、前記判定部は、前記解析処理用の画像データの最高濃度が基準値未満である場合に、前記裏写りした画像データであると判定するようにしてもよい。
【００１５】
また、上記第１又は第２の画像読取装置において、前記第２制御部は前記解析部による解析結果に関係なく、原稿の前記第１面の画像を読み取る時に、前記両面読取部に設けられた光源から原稿に向けて照射する光の光量を、原稿の前記第２面を読み取る時の光量より下げるようにしてもよい。
【００１６】
また、上記第１又は第２の画像読取装置において、前記第２制御部は前記解析部による解析結果に関係なく、原稿の前記第１面の画像を読み取る時の読取速度を、原稿の前記第２面の画像を読み取る時の読取速度より速くしてもよい。
【００１７】
また、上記第１又は第２の画像読取装置において、前記解析部は、前記解析処理用の画像データに対して、濃度の低い領域について、濃度を高くする濃度補正処理を行い、前記濃度補正処理後の画像データを対象に前記解析処理を行うようにしてもよい。
【００１８】
また、上記第１又は第２の画像読取装置において、前記解析処理中、前記解析処理用の画像データを一時記憶するメモリと、前記解析部による解析処理の終了後、前記解析処理用の画像データを前記メモリから消去する画像データ消去部とを備えるようにしてもよい。
【００１９】
また、上記第１又は第２の画像読取装置において、前記第１制御部は、前記解析処理用の画像データが読み取れた場合には、前記原稿の第２面のうち、残るラインの画像データは読み取らないように前記両面読取部を制御するようにしてもよい。
【００２０】
また、上記第１又は第２の画像読取装置において、前記第１読取条件はカラー読み取りであり、前記第２制御部は、前記解析処理の結果、前記第２面に裏写りした前記第１面の画像がカラー画像であった場合には、原稿の前記第１面を前記両面読取部にカラー読み取りさせ、前記解析処理の結果、前記第２面に裏写りした前記第１面の画像がモノクロ画像であった場合には、原稿の前記第１面を前記両面読取部にモノクロ読み取りさせるようにしてもよい。
【００２１】
また、本明細書によって開示される画像形成装置は、第１又は第２の画像読取装置と、前記画像読取装置により読み取った画像を被記録媒体に形成する画像形成部と、を備える。
【発明の効果】
【００２２】
本発明によれば、原稿読取開始後にユーザの手を煩わせることなく、原稿の画像の種類に応じた読取処理を行うことが可能となる。
【図面の簡単な説明】
【００２３】
【図１】実施形態１において複合機の電気的構成を示すブロック図
【図２】画像読取ユニットの断面図
【図３】画像読取ユニットの電気的構成を示すブロック図
【図４】原稿を示す図
【図５】表面の画像が裏面に裏写りした状態を示す図
【図６】読取条件の設定内容をまとめた図表
【図７】画像読取シーケンスのフローチャート図
【図８】選択画面の表示内容を示す図
【図９】案内画面の表示内容を示す図
【図１０】（ａ）裏写り除去処理にて適用される濃度変換曲線を示す図  （ｂ）裏写り促進処理にて適用される濃度変換曲線を示す図
【図１１】解析処理１、２のフローチャート図
【図１２】（ａ）カラー画像のヒストグラムとモノクロ画像のヒストグラムを示す図  （ｂ）文書画像のヒストグラムを示す図
【図１３】実施形態２において、原稿トレイに対する原稿のセット方法を説明する図
【図１４】画像読取シーケンスのフローチャート図
【図１５】実施形態３における、画像読取ユニットの断面図
【図１６】画像読取ユニットの電気的構成を示すブロック図
【図１７】画像読取シーケンスのフローチャート図
【発明を実施するための形態】
【００２４】
＜実施形態１＞
本発明の実施形態１を図１ないし図１３によって説明する。また、本明細書を通じて読み取りとスキャンは同じ意味とする。
（１）複合機１の構成
図１はプリント機能、スキャン機能、及びコピー機能を備える複合機１の電気的構成を示す模式図である。複合機（本発明の「画像読取装置」、「画像形成装置」の一例）１は、制御部１１、画像読取ユニット１３、印刷ユニット（本発明の「画像形成部」の一例）１５及び通信部１７を備えて構成されている。
【００２５】
制御部１１はＣＰＵ１１ａ、ＲＯＭ１１ｂ、及びＲＡＭ１１ｃを備えている。ＣＰＵ１１ａはＲＯＭ１１ｂに記憶されている各種のプログラムを実行することによって複合機１の各部を制御する。ＲＯＭ１１ｂはＣＰＵ１１ａが実行する各種のプログラムなどを記憶している。ＲＡＭ１１ｃはＣＰＵ１１ａが各種の処理を実行するための主記憶装置として用いられる。また、ＲＡＭ１１ｃには、画像読取ユニット１３にて読み取った原稿の画像データが記憶される。
【００２６】
画像読取ユニット１３はＣＩＳ５０と、スイッチバック路４０を含んだＡＤＦ（Auto Document Feeder）３４を備えており、スイッチバック方式で原稿の両面を読み取り可能となっている（図２参照）。尚、画像読取ユニット１３の構成については後述する。
【００２７】
印刷ユニット１５は、例えば、画像読取ユニット１３にて読み取った画像データに基づいて紙などの被記録媒体にＣＭＹＫ４色の色材（トナー、インクなど）を用いて電子写真方式、インクジェット方式などで画像を形成（印刷）する装置である。
【００２８】
（２）画像読取ユニット１３の構成
図２は、画像読取ユニット１３の断面図である。画像読取ユニット１３の筐体３０（図中では一部のみを図示）は概ね箱形に形成されており、上部に第１プラテンガラス３１と第２プラテンガラス３２とが並設されている。原稿カバー３３は、第１プラテンガラス３１を覆う閉姿勢と第１プラテンガラス３１を開放する開姿勢とに回動可能に筐体３０に連結されている。原稿カバー３３には、ＡＤＦ（Auto Document Feeder）３４、原稿トレイ３５、排紙トレイ３６などが設けられている。
【００２９】
ＡＤＦ３４（搬送手段の一例）は給紙ローラ３７、複数のローラ対３８ａ、３８ｂ、３８ｃ、これらを駆動するＡＤＦモータ６６（図３参照）、搬送路３９、スイッチバック路４０、フラッパ４１、原稿センサ４２、ジャムセンサ４３などを有しており、原稿トレイ３５に載置された原稿を給紙ローラ３７により一番上から順に一枚ずつ搬送する。
【００３０】
ＣＩＳ（Contact Image Sensor）５０は、複数の受光素子が、図２において紙面に垂直する方向（主走査方向）に直線状に配列されたイメージセンサ５１、ＲＧＢ３色の発光ダイオードなどで構成される光源５２、原稿で反射された反射光をイメージセンサ５１の各受光素子に結像させるロッドレンズアレイ５３、これらが搭載されるキャリッジ５４などで構成されている。尚、主走査方向とは図４のＸ方向である。
【００３１】
画像読取ユニット１３は、第１プラテンガラス３１にセットされた原稿を読み取るときはＦＢモータ６４（図３参照）によってＣＩＳ５０を第１プラテンガラス３１に平行な副走査方向（図２中のＡ方向）に搬送しながら原稿を１ラインずつ読み取る。一方、ＡＤＦ３４によって搬送される原稿を読み取るときは、画像読取ユニット１３はＦＢモータ６４によってＣＩＳ５０を第２プラテンガラス３２の直下に移動させ、第２プラテンガラス３２上の読取位置Ｐを通過する原稿を、イメージセンサ５１によって１ラインずつ読み取る。
【００３２】
ＡＤＦ３４は、原稿の一方の面がＣＩＳ５０に読み取られた後に原稿を反転させて他方の面がＣＩＳ５０に読み取られるように搬送することができる。具体的には、給紙ローラ３７によって搬送路３９に送り出された原稿の後端がローラ対３８ｃに狭持されると、ローラ対３８ｃが逆回転することによって原稿がスイッチバックされる。図２ではフラッパ４１が原稿に押されて反時計回りに回動した状態を示しており、そのため搬送路３９が解放されているが、搬送路３９に原稿がない状態ではフラッパ４１は搬送路３９を閉塞する姿勢となる。スイッチバックされた原稿は搬送路３９を閉塞するフラッパ４１に案内されてスイッチバック路４０に送り出され、裏返した状態で後端側から再び搬送路３９に送り出される。これにより裏面が読み取られる。
【００３３】
原稿センサ４２は、原稿トレイ３５上の原稿の有無を検知し、原稿の有無に応じた出力信号を出力するセンサである。原稿センサ４２としては、原稿トレイ３５上の原稿に押されて物理的にＯＮになるセンサや、原稿を光学的に検知する光電センサなどを用いることができる。また、ジャムセンサ４３は、ＡＤＦ３４の内部に設けられ、搬送路３９内の原稿の有無を検知し、原稿の有無に応じた出力信号を出力するセンサである。
【００３４】
尚、ＣＩＳ５０が本発明の「読取部」に対応する。また、ローラ対３８ｃ、フラッパ４１、スイッチバック路４０が本発明の「反転部」に対応する。また、ＡＤＦ３４のうちの各ローラ３７、３８とそれを駆動するＡＤＦモータ６６が本発明の「原稿搬送部」に対応する。
【００３５】
図３は、画像読取ユニット１３の電気的構成を示すブロック図である。画像読取ユニット１３は、ＡＳＩＣ６０、ＦＢモータ６４、ＦＢモータ駆動回路６５、ＡＤＦモータ６６、ＡＤＦモータ駆動回路６７、ＣＩＳ５０、光源制御回路６８、ＡＦＥ６９、原稿センサ４２、ジャムセンサ４３、操作部７０などを備えて構成されている。
【００３６】
ＡＳＩＣ６０には、ＦＢモータ駆動回路６５、ＡＤＦモータ駆動回路６７、光源制御回路６８、ＡＦＥ６９、操作部７０等が接続されている。ＡＳＩＣ６０はＣＰＵ１１ａの制御の下でこれらを制御するとともに、ＡＦＥ６９から出力された出力値（画素値）にガンマ補正やシェーディング補正、その他各種の画像処理を施して画素毎にＲＧＢ３つの画素値を持つ画像データを生成する。そして、生成された画像データは、ＲＡＭ１１ｃに記憶される。
【００３７】
ＡＦＥ６９（Analog Front End）は、イメージセンサ５１から出力されるアナログの出力値（電圧）をデジタルの出力値（画素値）に変換する回路である。
【００３８】
操作部７０は、表示部７１（Liquid Crystal Display）などの表示部７１や各種のボタンなどを備えて構成されている。ユーザは操作部７０を操作することによって次に説明する読取条件の設定や、スキャン処理の選択など各種の操作を行うことができる。
【００３９】
（３）ＣＩＳ５０の読取条件
ＣＩＳ５０には設定機能としてモード、解像度、読取光量Ｑ、読取速度Ｖの４つがある。具体的に説明すると、モードには、ＲＧＢ３色の光源５２を照射して原稿をカラーで読み取るカラーモードと、ＲＧＢ３色のうち特定の光源５２だけを照射して原稿をモノクロで読みるモノクロモードの２パターンがある。尚、モードの切り換えは、光源制御回路６９により各光源５２の点滅を制御することで実行可能である。
【００４０】
また、解像度には原稿を６００ｄｐｉの高解像度で読み取るパターンと、３００ｄｐｉの低解像度で読み取るパターンがある。尚、解像度を切り換えるには、例えば、ＡＦＥ６９の変換周期（イメージセンサ５１から出力されるアナログの出力値をデジタルの出力値に変換する周期）を変更してやればよい。
【００４１】
読取光量（光源の明るさ）にはＱ１、Ｑ２の２パターンがある。読取光量Ｑ１は、原稿面たる表面に形成された画像（裏写りを除く）の読み取りに適した光量である。一方、読取光量Ｑ２は、Ｑ１よりも光量が高く設定されている。このように、光量の高い読取光量Ｑ２をわざわざ設けてあるのは、原稿に対して強い光を当てることで、後述する裏写りをし易くするためである。尚、読取光量Ｑの切り換えるには、例えば、光源制御回路６９により光源を駆動する際の電流値や電圧値を切り換えてやればよい。
【００４２】
また、読取速度（スキャンする際のＣＩＳ５０と原稿の相対速度）Ｖには、Ｖ１〜Ｖ５の５段階が設定されている。具体的に説明すると、モノクロモードかつ３００ｄｐｉの場合が「Ｖ１」、モノクロモードかつ６００ｄｐｉの場合が「Ｖ２」、カラーモードかつ３００ｄｐｉの場合が「Ｖ３」、カラーモードかつ６００ｄｐｉの場合が「Ｖ４」であり、Ｖ１からＶ４の順に読み取り速度は小さくなる（遅くなる）。また、読取速度Ｖ５は読取速度Ｖ４より更に速度が小さい（遅い）。このように、読取速度Ｖ４より遅い読取速度Ｖ５をわざわざ設けてあるのは、原稿に対して光を長時間当てることで、裏写りをし易くするためである。尚、読取速度Ｖを制御するには、駆動回路６７により原稿の搬送速度を制御すればよい。これは、スキャン中ＣＩＳ５０は静止したままであるため、読取速度Ｖは、ＡＤＦ３４による原稿の搬送速度となるからである。
【００４３】
そして、本実施形態では、ＣＩＳ５０の読取条件の設定パターンについて、図６に示すように通常読取条件と、第１読取条件と、第２読取条件の３つのパターンが設定されている。
【００４４】
通常読取条件では、モードと解像度は、ユーザ操作による選択可能である。一般的にモードと解像度は、「モノクロ」と「３００ｄｐｉ」の低解像度に設定されている場合が多い。従って、この実施例でも、そのように設定されているものとする。また、通常読取条件では、読取光量は「Ｑ１」の固定値に設定され、読取速度は「Ｖａ」に設定される。尚、読取速度「Ｖａ」とはＶ１〜Ｖ４の中から、ユーザの設定するモード、解像度に応じて、それに対応した読取速度Ｖが選択されることを意図する。この通常読取条件は、後述する両面スキャン処理、片面スキャン処理が選択された場合において、原稿読み取り時に適用される読み取り条件である。
【００４５】
次に、第１読取条件では、モードは「カラー」に設定され、また解像度は「６００ｄｐｉ」の高解像度に設定される。そして、読取光量は「Ｑ２」の固定値に設定され、読取速度は「Ｖ５」の固定値に設定される。この第１読取条件は、後述する自動選択スキャン処理が選択された場合において、原稿の裏面を読み取る時（解析用の画像を取得する時）に適用される読み取り条件である。
【００４６】
次に、第２読取条件では、モードと解像度は「解析結果に応じて（詳細は後に詳しく説明する）」設定される。また、読取光量は「Ｑ１」の固定値に設定され、読取速度は「Ｖｂ」に設定される。尚、読取速度「Ｖｂ」とはＶ１〜Ｖ４の中から、解析結果に応じて決定されるモード、解像度に応じて、それに対応した読取速度Ｖが選択されることを意図する。この第２読取条件は、後述する自動選択スキャン処理が選択された場合において、原稿の表面を読み取る時に適用される読み取り条件である。尚、原稿の表面が本発明の「第１面」に相当し、原稿の裏面が本発明の「第２面」に相当する。
【００４７】
（４）画像読取シーケンス
本実施形態の複合機１には、大別すると次の３パターンのスキャン処理が設定されていて、ユーザの選択により、いずれか一のスキャン処理を選択できる。
（ａ）両面スキャン処理（本発明の「通常スキャン処理」の一例）
（ｂ）片面スキャン処理（本発明の「通常スキャン処理」の一例）
（ｃ）片面原稿の自動選択スキャン処理
【００４８】
自動選択スキャン処理とは、原稿表面の画像を読み取る前に、原稿表面の画像の種類を事前判別し、得られた判別結果に基づいて原稿表面の画像の種類に適した読取条件を自動選択し、自動選択した読取条件で原稿表面の画像を読み取る処理である。尚、この実施例では、原稿表面の画像の種類として、カラー画像（例えば、図４中央の原稿）、モノクロ画像（例えば、図４の右側の原稿）の色判別と、原稿表面の画像が文書画像（例えば、図４の左側の原稿）であるかの判別を行うこととしている。
【００４９】
そして、この実施形態では、原稿表面の画像の種類を、裏写り画像Ｚを用いて判別するようにしている。裏写り画像Ｚとは原稿の一方側の面に逆側の面の画像が透けて写る画像であり、図５では画像の形成されていない裏面に対して表面の画像が裏写りした状態を示してある。
【００５０】
以下、図７を参照して、画像読取シーケンス（上記スキャン処理を選択実行させるシーケンス）について詳細を説明する。画像読取シーケンスは複合機１の起動に伴って実行され、Ｓ１０ではスキャン処理の選択操作を受け付ける待機状態となる。
【００５１】
この例では、ＣＰＵ１１ａの制御により、操作部７０の表示部７１に、図８に示す選択画面１が表示されるようになっており、ユーザは操作部７０を通じて選択画面上に表示された（ａ）〜（ｃ）の３つのスキャン処理の中から一のスキャン処理を選択できる。そして、ユーザにより操作部７０が操作されると、操作部７０から操作に対応した選択信号が出力され、その信号をＣＰＵ１１ａが受信する。これにて、（ａ）〜（ｃ）の３つのスキャン処理のうち一のスキャン処理が、ＣＰＵ１１ａにより受け付けられる。ここでは、（ａ）両面スキャン処理が選択されたものとして、それ以降の説明を行う。尚、ＣＰＵ１１ａにて実行されるＳ１０の処理にて本発明の「選択部」の果たす機能が実現されている。
【００５２】
＜両面スキャン処理の場合＞
Ｓ１０にて両面スキャン処理の選択をＣＰＵ１１ａが受け付けると、次にＳ１５に移行する。Ｓ１５では、操作部７０の表示部７１に、図９に示す案内画面１が表示される。Ｓ１０で両面スキャン処理が選択された場合には、案内画面として、「表面を上にして原稿をセットし、スタートキーを押してください」のメッセージが表示される。
【００５３】
また、メッセージの表示と並行して、ＣＩＳ５０が第２プラテンガラス３２の下になければ、ＦＢモータ６４を駆動して、ＣＩＳ５０を第２プラテンガラス３２の直下に移動させる処理が行われる。
【００５４】
その後、原稿トレイ３５に対して原稿が表面を上に向けてセットされ、操作部７０に設けられたスタートキーがユーザによって操作されると、操作部７０からキー操作に対応した信号が出力され、ＣＰＵ１１ａにより受信される。これにて、制御部１１のＣＰＵ１１ａは、スタートキーの入力操作を受け付ける。尚、ＣＰＵ１１ａにて実行されるＳ１５の処理にて本発明の「受付部」の果たす機能が実現されている。
【００５５】
その後、処理はＳ２０に移行する。Ｓ２０では、ＣＰＵ１１ａにより、選択されたスキャン処理が自動選択スキャン処理かどうか判定される。ここでは、両面スキャン処理が選択されているから、Ｓ２０ではＮＯ判定される。
【００５６】
Ｓ２０でＮＯ判定された場合にはＳ３０に移行する。Ｓ３０では、制御部１１のＣＰＵ１１ａによりＡＤＦ３４を駆動させる処理が開始される。これにより、原稿トレイ３５上にセットされた一枚目の原稿が、表面を上に向けた状態で、搬送路３９に送りだされる。
【００５７】
上記のように原稿の搬送が開始されると、処理はＳ３１に移行する。Ｓ３１では、ＣＩＳ５０の読取条件が、通常読取条件に設定される。これはＣＰＵ１１ａにより設定される。これにより、ＣＩＳ５０のモードは「モノクロ」に設定される。また、解像度は「３００ｄｐｉ」に設定される。また、読取光量は「Ｑ１」に設定され、読取速度は「Ｖａ（具体的にはＶ１）」に設定される。
【００５８】
尚、両面スキャン処理（他のスキャン処理も同様）では、スキャン中ＣＩＳ５０は静止したままであるため、読取速度ＶａはＡＤＦ３４による原稿の搬送速度となる。この実施形態では、Ｓ３０にてＡＤＦ３４を駆動させる時に読取速度Ｖａを設定しており、読み取り対象の原稿を、搬送開始時から搬送速度（読取速度）Ｖａにて送る設定としてある。そして、設定された通常読取条件を適用して、ＣＰＵ１１ａにより制御されたＣＩＳ５０により、原稿表面の読み取りが行われる。
【００５９】
具体的には、ＡＤＦ３４により送りだされた原稿は、搬送路３９に沿って送られてゆき、第２プラテンガラス３２上の読取位置Ｐに接近してゆく。そして、ＣＰＵ１１ａは、原稿が読取位置Ｐを通過する時に、ＣＩＳ５０に原稿表面の画像を１ライン読み取らせる。尚、ここで言う１ラインとは、主走査方向に延びるラインＬを意味する。
【００６０】
続く、Ｓ３３ではＣＰＵ１１ａにより裏写り除去処理が行われる。この裏写り除去処理では、ＣＩＳ５０によって読み取られた画像を濃度変換する処理が行われる。具体的には、図１０の（ａ）に示す変換曲線Ｕ１を用いて濃度変換を行う。変換曲線Ｕ１は、領域Ａでは、領域Ｂに比べて曲線の傾きが大きくなっており、領域Ｂの濃度となる画像はほぼそのままの濃度で濃度変換されるが、領域Ａの濃度となる画像は、濃度が極めて低く変換される。従って、この変換曲線Ｕ１を用いて濃度変換を行うことにより、領域Ａについてその濃度を更に低く出来る。ここで、上述したように、裏写り画像Ｚは、原稿の一方側の面に対して逆側の面の画像が透けて写る画像であるので、一方側の面に形成された画像に比べて濃度が低くなる傾向がある。よって、一方側の面（ここでは表面）の画像の濃度分布に対応して領域Ｂを設定し、裏写り画像Ｚの濃度分布に対応して領域Ａを設定すれば、読み取られた画像から裏写りを除去しつつ、原稿表面の画像の再現性を維持できる。尚、この裏写り除去処理は、ＣＰＵ１１ａの指令によりＡＳＩＣ６０が行う。
【００６１】
その後Ｓ３５では原稿表面のスキャンが終了したか（全ラインをスキャンしたか）、ＣＰＵ１１ａにより判定される。原稿表面のスキャンが途中の場合にはＳ３５でＮＯ判定され、Ｓ３１に戻り、ＣＩＳ５０が原稿を再スキャンする。この間、一枚目の原稿は搬送路３９に沿って送られてゆくので、再スキャンにより、次のラインが読み取られることになる。その後、Ｓ３３で読み取った画像に対して裏写り除去処理を行い、再度Ｓ３５で判定を行う。このような処理が繰り返されることにより、原稿の読み取りが進む。
【００６２】
そして、全ラインのスキャンが完了するとＳ３５でＹＥＳ判定される。その後、処理はＳ３７に移行する。Ｓ３７では、選択中のスキャン処理が両面スキャン処理かどうかがＣＰＵ１１ａにより判定される。ここでは、両面スキャン処理が選択されているから、Ｓ３７ではＹＥＳ判定される。
【００６３】
Ｓ３７にてＹＥＳ判定されると、次にＳ３９に移行する。Ｓ３９では表面を読み取った原稿を反転させる処理が実行される。すなわち、原稿の後端が搬送路３９を通過する直前の時点で、ローラ対３８ｃを逆回転させる。すると、原稿は搬送路３９を閉塞するフラッパ４１に案内されてスイッチバック路４０に送り出され、裏返した状態で後端側から再び搬送路３９に送り出される。
【００６４】
かくして、原稿が搬送路３９に送り返されると、次にＳ４１の処理が実行される。Ｓ４１では、ＣＰＵ１１ａにより制御されたＣＩＳ５０により、裏面の読み取りが、表面の読み取りと同様に通常読取条件を適用して行われる。具体的には、搬送路３９に送り返された原稿は、第２プラテンガラス３２上の読取位置Ｐに接近してゆく。そして、ＣＰＵ１１ａは、送り返された原稿が読取位置を通過する時に、ＣＩＳ５０に裏面の画像を１ライン読み取らせる。
【００６５】
続く、Ｓ４３ではＣＰＵ１１ａにより、裏写り除去処理（Ｓ３３と同様の処理）が行われる。その後Ｓ４５では裏面のスキャンが終了したか（全ラインをスキャンしたか）、ＣＰＵ１１ａにより判定される。裏面のスキャンが途中の場合には、Ｓ４５でＮＯ判定され、Ｓ４１に戻り、ＣＩＳ５０が原稿を再スキャンする。これにより、次のラインが読み取られる。その後、Ｓ４３で読み取った画像に対して裏写り除去処理を行い、再度Ｓ４５で判定を行う。
【００６６】
そして、裏面のスキャンが完了するとＳ４５でＹＥＳ判定される。そして、両面読み取り済みの一枚目の原稿は、ローラ対３８ｃを介して、排紙トレイ３６上に排出される。
【００６７】
その後、ＣＰＵ１１ａは、原稿センサ４２の出力に基づいて、原稿トレイ３５上に次の原稿があるか判定する（Ｓ４７）。そして、次の原稿がない場合、画像読取シーケンスはその時点で終了する。一方、次の原稿がある場合には、２枚目の原稿の搬送が開始される。一方、画像読取シーケンスは、Ｓ３１に戻り、２枚目の原稿を読み取る処理が開始される。このような処理が繰り返され、全ての原稿について両面の読み取りが完了すると、Ｓ４７にてＹＥＳ判定され、画像読取シーケンスは終了する。
【００６８】
＜片面スキャン処理の場合＞
次に、Ｓ１０の選択処理で、図８に示す選択画面上に表示された（ａ）〜（ｃ）の３つのスキャン処理の中から、（ｂ）片面スキャン処理が選択された場合の説明を行う。
【００６９】
片面スキャン処理が選択された場合の処理は、両面スキャン処理が選択された場合と、概ね同じように処理が進む。具体的には、Ｓ１０〜Ｓ３０の処理が両面スキャン処理の場合と同じように行われ、Ｓ３０でＡＤＦ３４が駆動して、原稿トレイ３５から原稿が送りだされ、その後、ＣＩＳ５０により、原稿表面の読み取りが通常読取条件を適用して行われる（Ｓ３１〜Ｓ３５）。
【００７０】
そして、両面スキャン処理の場合には、原稿表面の読み取りが完了すると、Ｓ３７の判定処理でＹＥＳ判定された。そして、裏面を読み取る処理（Ｓ３９〜Ｓ４５）を行った。これに対し、片面スキャン処理の場合には、Ｓ３７の判定処理でＮＯ判定されるので、裏面を読み取る処理（Ｓ３９〜Ｓ４５）は実行されず、Ｓ３７の判定処理に続いてＳ４７の処理に移行し、次の原稿の有無が判定される。
【００７１】
そして、次の原稿がない場合、画像読取シーケンスはその時点で終了する。一方、次の原稿がある場合には、処理はＳ３１に戻り、１枚目と同様に手順で、２枚目の原稿を読み取る処理が行われる。そして、全ての原稿について両面の読み取りが完了すると、Ｓ４７にてＹＥＳ判定され、画像読取シーケンスは終了する。
【００７２】
＜自動選択スキャン処理（全解析）の場合＞
次に、Ｓ１０の選択処理で、図８に示す選択画面上に表示された（ａ）〜（ｃ）の３つのスキャン処理の中から（ｃ）自動選択スキャン処理が選択された場合の説明を行う。
【００７３】
図８に示す選択画面１上で自動選択スキャン処理が選択されると、操作部７０の表示部７１の表示が切り換り、選択画面２が表示されるようになっている。選択画面２には、（ｃ１）全解析と、（ｃ２）フロントページ解析の２つの解析パターンが表示される。
【００７４】
尚、全解析とは、スキャンする全ての原稿について画像の種類を判別するものであり、フロントページ解析とは、フロントページのみ原稿の画像の種類を判別するものである。このように、本複合機１には２つの解析パターンが設けられている。
【００７５】
ユーザは操作部７０を通じて選択画面上に表示された２つの解析パターンの中からどちらかの解析パターンを選択できる。ここでは、（ｃ１）全解析が選択されたものとして、それ以降の説明を行う。
【００７６】
Ｓ１０に続くＳ１５では、ＣＰＵ１１ａの制御により、操作部７０の表示部７１に図９に示す案内画面２が表示される。Ｓ１０のスキャン選択処理で全解析が選択された場合には、「原稿全体を裏返してセットし、スタートキーを押してください」のメッセージが表示される。
【００７７】
その後、原稿トレイ３５に全体を裏返した状態で原稿がセットされ、操作部７０に設けられたスタートキーがユーザに操作されると、操作部７０からキー操作に対応した信号が出力され、ＣＰＵ１１ａにより受信される。これにて、制御部１１のＣＰＵ１１ａは、スタートキーの入力操作を受け付ける。尚、ＣＰＵ１１ａにて実行されるＳ１５の処理にて本発明の「受付部」の果たす機能が実現されている。
【００７８】
その後、処理はＳ２０に移行する。Ｓ２０では、ＣＰＵ１１ａにより、選択されたスキャン処理が自動選択スキャン処理かどうか判定される。ここでは、自動選択スキャン処理が選択されているから、Ｓ２０ではＹＥＳ判定される。
【００７９】
Ｓ２０でＹＥＳ判定された場合にはＳ５０に移行する。Ｓ５０では、ＣＰＵ１１ａにより、選択中の解析処理が「全解析」かどうか判定される。ここでは、全解析が選択されているから、Ｓ５０ではＹＥＳ判定される。その後、処理はＳ６０に移行する。
【００８０】
Ｓ６０では、制御部１１のＣＰＵ１１ａによりＡＤＦ３４を駆動させる処理が開始される。これにより、原稿トレイ３５上にセットされた一枚目の原稿が、裏面を上に向けた状態で、搬送路３９に送りだされる。
【００８１】
上記のように原稿の搬送が開始されると、処理はＳ６１に移行する。Ｓ６１では、ＣＰＵ１１ａにより、ＣＩＳ５０の読取条件が第１読取条件に設定される。これにより、ＣＩＳ５０のモードは「カラー」に設定される。また、解像度は「６００ｄｐｉ」に設定される。また、読取光量は「Ｑ２」に設定され、読取速度は「Ｖ５」に設定される。
【００８２】
そして、設定された第１読取条件を適用して、ＣＰＵ１１ａにより制御されたＣＩＳ５０により、裏面の読み取りが行われる。具体的には、ＡＤＦ３４により送りだされた原稿は、搬送路３９に沿って送られてゆき、第２プラテンガラス３２上の読取位置Ｐに接近してゆく。
【００８３】
そして、ＣＰＵ１１ａは原稿が読取位置Ｐを通過する時に、ＣＩＳ５０に裏面の画像を１ライン読み取らせる。より詳しく言えば、ＣＰＵ１１ａはＡＳＩＣ６０を介して駆動回路６７、光源制御回路６８やＡＦＥ６９を制御することにより、解析処理用として設定された第１読取条件で、ＣＩＳ５０に裏面の画像を１ライン読み取らせる。ＣＰＵ１１ａにより実行されるＳ６１の処理により、本発明の「第１制御部」の機能が実現されている。
【００８４】
尚、自動選択スキャン処理の対象原稿は片面であり、裏面に画像はない。しかし、ＣＩＳ５０で裏面を読み取ると、表面に形成された画像が逆側の裏面に透けて写り込んだ裏写り画像Ｚ（図５に示す画像）を読み取ることが出来る。
【００８５】
特に第１読取条件は、読取光量「Ｑ」が通常読取条件の読取光量「Ｑ１」に比べて大きな値「Ｑ２」に設定してある。また、読取速度「Ｖ」が、通常読取条件の読取速度「Ｖａ」より遅い「Ｖ５」に設定してある。従って、通常読取条件の読取光量「Ｑ１」、読取速度「Ｖａ」を適用して原稿を読み取る場合に比べて、光源として強い光が原稿に対して長い時間照射される。そのため、第１読取条件を適用した場合には、通常読取条件を適用した場合に比べて、読み取る際に原稿が透け易くなり、裏写り画像Ｚを鮮明に読み取ることが出来る。
【００８６】
そして、Ｓ６１に続くＳ６５では、裏写り画像Ｚに基づいて、表面に形成された画像の種類を解析する解析処理１が、ＣＰＵ１１ａにより実行される。Ｓ６５の解析処理１は、図１１に示すようにサブルーチンとなっており、Ｓ１００〜Ｓ１２５の処理から構成されている。また、ここでは、解析対象の原稿画像はカラー画像であって、文書画像ではないものとして説明を行う。
【００８７】
解析処理１では、まず、Ｓ１００にて解析に必要なライン数（例えば、３ライン）の画像データが読み取れたか判定される。原稿の読み取りの開始直後は図５に示すように、ＣＩＳ５０の読み取りラインＬ上に裏写り画像が存在しない（図５中のラインＬ１）。そのため、画像データ自体を読み取ることが出来ず、Ｓ１００ではＮＯ判定されることとなる。
【００８８】
Ｓ１０１でＮＯ判定された場合、Ｓ１２０に移行する。Ｓ１２０では、裏面のスキャン（全ラインのスキャン）が終了したか、判定される。裏面のスキャンが終了していなければ、Ｓ１２０でＮＯ判定される。この場合、処理はＳ６１に戻ることになる。そして、Ｓ６１では第１読取条件を適用し、ＣＩＳ５０が原稿を再スキャンする。この間、原稿は搬送路３９に沿って送られてゆくので、再スキャンにより、次のラインが読み取られることになる。
【００８９】
その後、処理はＳ６５に戻るので、図１１の解析処理（サブルーチン）が読み出され、再度Ｓ１００にて、解析に必要なライン分の画像データが、取得されたか判定される。このような処理を繰り返すことで、ＣＩＳ５０による裏面の読み取りが進められる。
【００９０】
そして、読み取りラインＬが裏写り画像に対して重なる位置に達すると（図５中のＬ２）、ＣＩＳ５０により裏写り画像が読み取られる。そして、読み取ったラインＬの数が解析に必要なライン数（例えば、３ライン）に達すると、Ｓ１００でＹＥＳ判定され、処理はＳ１０１に移行する。
【００９１】
尚、Ｓ１００でＹＥＳ判定されると、ＣＰＵ１１ａは、原稿裏面のうち、残るラインの画像データは読み取らないようにＣＩＳ５０を制御する。すなわちＳ１００でＹＥＳ判定された時点で、ＣＩＳ５０による原稿裏面の読み取りは終了し、未スキャンのラインがあっても、そのラインはスキャンされない。このようにすれば、無駄な読み取りをしなくて済み、また、画像データ取得後は原稿の搬送速度を上げることが可能であり、結果として、１枚の原稿を読み取るのに必要な時間を短くできる。
【００９２】
さて、Ｓ１０１では、裏写り促進処理が実行される。裏写り促進処理はＣＩＳ５０によって読み取られた画像を、図１０の（ｂ）に示す変換曲線Ｕ２を用いて濃度変換する処理となっている。変換曲線Ｕ２は、濃度をそのままの濃度で変換する傾きを持つ領域Ｂと、領域Ｂに比べて曲線の傾きが緩い領域Ａとから構成されており、領域Ａの濃度となる画像は、濃度が高く変換される。従って、この変換曲線Ｕ２を用いて濃度変換を行うことにより、領域Ａについてその濃度を高く出来る。ここで、上述したように、裏写り画像Ｚは、原稿の一方側の面に対して逆側の面の画像が透けて写る画像であるので、一方側の面に形成された画像に比べて濃度が低くなる傾向がある。よって、裏写り画像Ｚの濃度分布に対応して領域Ａを設定すれば、裏写り画像Ｚの濃度を高くすることが可能となる。このように裏写り画像Ｚの濃度を高くすれば、濃度が低い場合に比べて各画素の有無をはっきりと認識することが可能となるため、解析に適したデータとなる。尚、この裏写り促進処理（本発明の「濃度補正処理」に相当）は、ＣＰＵ１１ａの指令によりＡＳＩＣ６０が行う。
【００９３】
その後、処理はＳ１０３に移行する。Ｓ１０３では読み取った画像がカラー画像かモノクロ画像か判別する処理が、ＣＰＵ１１ａにより判定される。判定方法の一例を挙げておくと、一般に、各色の出現頻度を表すヒストグラム（横軸を波長とし、縦軸を画素の出現数としたヒストグラム）は、カラー画像とモノクロ画像では異なる。例えば、カラー画像のヒストグラムは、はっきりとした複数のピークが現れる（図１２（ａ）の実線参照）。一方、モノクロ画像のヒストグラムは、山なりのなだらかな曲線となる場合が多く、複数ピークは現れない（図１２（ａ）の一点鎖線）。
【００９４】
従って、読み取った画像について、各色の出現頻度を表すヒストグラムを算出し、得られたヒストグラムが、カラー画像の特徴を持つヒストグラムか、モノクロ画像の特徴を持つヒストグラムか判別することで、その画像がカラー画像かモノクロ画像か判別できる。
【００９５】
この例では、原稿はカラー画像であるため、ヒストグラムは、図１２（ａ）の実線のように複数のピークを持つ。そのため、Ｓ１０３の判別処理でＹＥＳ判別され、その後処理はＳ１０５に移行する。尚、ＣＰＵ１１ａにより実行されるＳ１０３の処理により本発明の「解析部」の機能が実現されている。
【００９６】
そして、Ｓ１０５では第２読取条件についてモードが「カラー」に設定される。尚、Ｓ１０３の判別処理で、画像がモノクロ画像であると判別されると、その後処理はＳ１０７に移行する。そして、Ｓ１０７では、第２読取条件についてモードが「モノクロ」に設定される。
【００９７】
Ｓ１０５又はＳ１０７の処理が終了すると、続くＳ１０９では、読み取った画像が、文書画像か判別する処理がＣＰＵ１１ａにより判定される。判定方法の一例を挙げておくと、文書画像は階調が少ない（通常、白黒の２値の階調しかない）。そのため、階調の出現頻度を表すヒストグラム（横軸を階調（濃度値）、縦軸を画素の出現数としたヒストグラム）は２値に出現数が集中する傾向になる（図１２（ｂ）参照）。
【００９８】
従って、読み取った画像のヒストグラムを算出し、得られたヒストグラムが、２値に出現数が集中する特徴を有するかを判別することで、その画像が文書画像か判別できる。
【００９９】
この例では、原稿は文書画像ではない（写真）。そのため、ヒストグラムは、出現数が２値に集中せず分散する。そのため、Ｓ１０９の判別処理でＮＯ判定され、その後処理はＳ１１５に移行する。尚、ＣＰＵ１１ａにより実行されるＳ１０９の処理により本発明の「解析部」の機能が実現されている。
【０１００】
そして、Ｓ１１５では、第２読取条件について解像度が６００ｄｐｉ（高解像度）に設定される。尚、画像が文書画像である場合には、Ｓ１０９の判別処理でＹＥＳ判定され、その後Ｓ１１０にて、解像度が３００ｄｐｉ（低解像度）に設定される。
【０１０１】
Ｓ１１０又はＳ１１５の処理が終了すると、続くＳ１１７では、読み取った画像データを消去する処理が行われる。すなわち、解析処理中、画像データは、ＲＡＭ１１ｃ又は画像メモリに一時記憶されるが、解析処理用の終了後、ＣＰＵ１１ａは、ＲＡＭ１１ｃ又は画像メモリに記憶した画像データを全消去する。このように画像データを消去するのは、読み取った画像データは原稿種類の解析用であり、それ以降は使用しないからである。そして、画像データを消去することで、ＲＡＭ１１ａや画像メモリが無駄に使用されず、ＲＡＭ１１ａや画像メモリを有効活用できる。以上により一連の解析処理は終了し、処理は図７中のＳ６７に戻る。そして、ＣＰＵ１１ａが実行するＳ１１７の処理により、本発明の「画像データ消去部」の機能が実現されている。また、ＲＡＭ１１ａや画像メモリが本発明の「メモリ」に対応する。
【０１０２】
尚、本実施形態では、解析用の画像データが取得できないまま、裏面のスキャンが終了した場合（Ｓ１２０：ＹＥＳ）には、第２読取条件についてモードと解像度を設定することが出来ない。そのため、この実施形態では、Ｓ１２５の処理が設けられていて、上記場合には、第２読取条件のモードと解像度を通常読取条件のモード設定と解像度設定に従って設定するようにしている。そしてＳ１２５の処理が行われた場合もやはり、処理は図７中のＳ６７に戻る。
【０１０３】
さて、Ｓ６７では、画像の種類が特定（判別）された原稿を反転させる処理が実行される。すなわち、原稿の後端が搬送路３９を通過する直前の時点で、ローラ対３８ｃを逆回転させる。これにより、原稿は搬送路３９を閉塞するフラッパ４１に案内されてスイッチバック路４０に送り出され、今度は、表面を上に向けた状態で後端側から再び搬送路３９に送り出される。
【０１０４】
かくして、原稿が搬送路３９に送り返されると、次にＳ７１の処理が実行される。Ｓ７１では、ＣＰＵ１１ａにより、ＣＩＳ５０の読取条件が、Ｓ６５の解析処理１にて設定された第２読取条件に設定される。これにより、ＣＩＳ５０のモードは「カラー」に設定される。また、解像度は「６００ｄｐｉ」に設定される。また、読取光量は「Ｑ１」に設定され、読取速度は「Ｖｂ（具体的には、Ｖ４）」に設定される。そして、設定された第２読取条件（ただし、Ｓ１２０でＹＥＳ判定された場合には、Ｓ１２５で設定した第２読取条件）を適用して、ＣＩＳ５０により表面の読み取りが行われる。
【０１０５】
具体的には、搬送路３９に送り返された原稿は、第２プラテンガラス３２上の読取位置Ｐに接近してゆく。そして、ＣＰＵ１１ａは、送り返された原稿が読取位置を通過する時に、表面の画像を、第２読取条件でＣＩＳ５０に１ライン読み取らせる。より詳しく言えば、ＣＰＵ１１ａは、ＡＳＩＣ６０を介して駆動回路６７、光源制御回路６８やＡＦＥ６９を制御することにより、第２読取条件で、ＣＩＳ５０に原稿を読み取らせる。尚、ＣＰＵ１１ａにより実行されるＳ７１の処理により、本発明の「第２制御部」の機能が実現されている。
【０１０６】
続く、Ｓ７３ではＣＰＵ１１ａにより、裏写り除去処理（Ｓ３３と同様の処理）が行われる。その後Ｓ７５では、表面のスキャンが終了したか（全ラインをスキャンしたか）、ＣＰＵ１１ａにより判定される。表面のスキャンが途中の場合には、Ｓ７５でＮＯ判定され、Ｓ７１に戻ることになる。そして、Ｓ７１では第２読取条件を適用し、ＣＩＳ５０が原稿を再スキャンする。この間、原稿は搬送路３９に沿って送られてゆくので、再スキャンにより、次のラインが読み取られることになる。その後、Ｓ７３で読み取った画像に対して裏写り除去処理を行い、再度Ｓ７５で判定を行う。このような処理を繰り返すことで、原稿表面のスキャンが進められる。
【０１０７】
そして、表面のスキャンが完了するとＳ７５でＹＥＳ判定される。そして、スキャン済みの一枚目の原稿は、ローラ対３８ｃを介して、排紙トレイ３６上に排出される。
【０１０８】
その後、ＣＰＵ１１ａは、原稿センサ４２の出力に基づいて、原稿トレイ３５上に次の原稿があるか判定する（Ｓ７７）。そして、次の原稿がない場合、画像読取シーケンスはその時点で終了する。一方、次の原稿がある場合には、２枚目の原稿の搬送が開始される。一方、画像読取シーケンスは、Ｓ６１に戻り、裏面の画像が第１読取条件を適用してＣＩＳ５０により読み取られる。続くＳ６５の解析処理１では１枚目と同様に画像種類の判別が行われ、その後、第２読取条件（モードと解像度）が画像の種類に応じて設定される。
【０１０９】
その後、Ｓ６７で原稿を反転させた後、Ｓ７１〜Ｓ７５にて第２読取条件を適用して表面の画像が読み取られる。そして、表面のスキャンが完了すると、Ｓ７５でＹＥＳ判定され、Ｓ７７の判定処理が再度行われる。そして、全ての原稿について両面の読み取りが完了すると、画像読取シーケンスは終了する。
【０１１０】
このように「全解析」パターンでは、各原稿ごとに画像の種類を判別する。従って、全ての原稿について、種類に適した読取条件で、原稿を読み取ることが可能である。
【０１１１】
＜自動選択スキャン処理（フロントページ解析）の場合＞
次に、図８に示す選択画面２上に表示された２つの解析パターンの中から（ｃ２）フロントページ解析が選択された場合について説明を行う。
【０１１２】
フロントページ解析が選択された場合も、全解析が選択された場合と同様に、Ｓ１５では、操作部７０の表示部７１に図９に示す案内画面２が表示される。そして、「原稿全体を裏返してセットし、スタートキーを押してください」のメッセージが表示される。
【０１１３】
その後、原稿トレイ３５に全体を裏返した状態で原稿がセットされ、操作部７０に設けられたスタートキーがユーザに操作されると、制御部１１のＣＰＵ１１ａは、スタートキーの入力操作を受け付ける。
【０１１４】
その後、処理はＳ２０に移行する。Ｓ２０では、ＣＰＵ１１ａにより、選択されたスキャン処理が自動選択スキャン処理かどうか判定される。ここでは、自動選択スキャン処理が選択されているから、Ｓ２０ではＹＥＳ判定される。
【０１１５】
Ｓ２０でＹＥＳ判定された場合にはＳ５０に移行する。Ｓ５０では、ＣＰＵ１１ａにより、選択中の解析処理が「全解析」かどうか判定される。ここでは、フロントページ解析が選択されているから、Ｓ５０ではＮＯ判定される。その後、処理はＳ８０に移行する。
【０１１６】
Ｓ８０では、制御部１１のＣＰＵ１１ａがＡＤＦ３４を駆動させる。これにより、原稿トレイ３５上にセットされた一枚目の原稿が、裏面を上に向けた状態で、搬送路３９に送りだされる。
【０１１７】
原稿の搬送が開始されると、処理はＳ８１に移行する。Ｓ８１はＳ６１と同じ処理であり、ＣＰＵ１１ａにより、ＣＩＳ５０の読取条件が第１読取条件に設定される。これにより、ＣＩＳ５０のモードは「カラー」に設定される。また、解像度は「６００ｄｐｉ」に設定される。また、読取光量は「Ｑ２」に設定され、読取速度は「Ｖ５」に設定される。
【０１１８】
そして、設定された第１読取条件を適用して、ＣＰＵ１１ａにより制御されたＣＩＳ５０により、原稿裏面の読み取りが行われる。具体的には、ＡＤＦ３４により送りだされた原稿は、搬送路３９に沿って送られてゆき、第２プラテンガラス３２上の読取位置Ｐに接近してゆく。
【０１１９】
そして、ＣＩＳ５０は、原稿が読取位置Ｐを通過する時に、裏面の画像を１ライン読み取る。尚、自動選択スキャン処理の対象原稿は片面であり、裏面に画像はない。しかし、ＣＩＳ５０で裏面を読み取ると、表面に形成された画像が逆側の裏面に透けて写り込んだ裏写り画像Ｚ（図５に示す画像）Ｚを読み取ることが出来る。
【０１２０】
そして、Ｓ８１に続くＳ８５では、裏写り画像Ｚに基づいて、表面に形成された画像の種類を解析する解析処理２が実行される。Ｓ８５の解析処理２は、Ｓ６５の解析処理１と基本的には同じであり、Ｓ１００〜Ｓ１２５の処理から構成されている。相違点としては、Ｓ１２０のＮＯ判定された場合に、Ａ２に戻る点である。
【０１２１】
解析処理２を行うことで画像の種類が判別され、その後、第２読取条件（モードと解像度）が、画像の種類に応じて設定される（Ｓ１０３〜Ｓ１１５）。
【０１２２】
その後、Ｓ８７で原稿を反転させた後、Ｓ９１（Ｓ７１と同じ処理）では第２読取条件を適用して表面の画像が読み取られる。また、Ｓ９３（Ｓ７３と同じ処理）では裏写り除去処理が実行される。そして、表面のスキャンが完了するまで、Ｓ９１〜Ｓ９３の処理が繰り返され、表面の読み取が進められる。そして、表面のスキャンが完了すると、Ｓ９５でＹＥＳ判定され、Ｓ９７の判定処理が再度行われる。そして、次の原稿がない場合、画像読取シーケンスは、その時点で終了する。
【０１２３】
尚、フロントページ解析パターンで実行されるここまでの処理（１枚目の原稿を読み取る処理）は、全解析パターンの場合と同じ処理である。フロントページ解析パターンは、２枚目以降の原稿について原稿の種類を判別せず、２枚目以降の表面の読み取りを１枚目原稿で設定した第２読取条件を適用して行うものであり、これ以降に説明する処理の内容が全解析パターンと異なっている。
【０１２４】
さて、次の原稿（２枚目原稿）がある場合には、ＡＤＦ３４により、２枚目の原稿の搬送が開始される。一方、画像読取シーケンスはＳ９９に移行する。Ｓ９９では裏面のスキャンがスルーされる。すなわち、ＡＤＦ３４により送りだされる２枚目の原稿は、搬送路３９に沿って送られてゆく。しかし、ＣＩＳ５０による原稿の読み取りは実行されず、裏面の画像が読まれないまま、原稿は第２プラテンガラス３２上の読取位置Ｐを通過する。このようにスキャンをスルーするのは、画像解析を行わないのであれば、裏面の画像を読み意味がないからである。
【０１２５】
その後、処理はＳ８７に戻り、原稿を反転させる処理が実行される。すなわち、原稿の後端が搬送路３９を通過する直前の時点で、ローラ対３８ｃを逆回転させる。すると、原稿は搬送路３９を閉塞するフラッパ４１に案内されてスイッチバック路４０に送り出され、今度は、表面を上に向けた状態で後端側から再び搬送路３９に送り出される。
【０１２６】
かくして、原稿が搬送路３９に送り返されると、次にＳ９１の処理が実行される。Ｓ９１では１枚目の原稿で設定された第２読取条件を適用して、ＣＰＵ１１ａに制御されたＣＩＳ５０により、表面の読み取りが行われる。
【０１２７】
具体的には、搬送路３９に送り返された原稿は、第２プラテンガラス３２上の読取位置Ｐに接近してゆく。そして、ＣＩＳ５０は、送り返された原稿が読取位置Ｐを通過する時に、表面の画像を１ライン読み取る。
【０１２８】
続く、Ｓ９３ではＣＰＵ１１ａにより、裏写り除去処理（Ｓ７３と同様の処理）が行われる。その後Ｓ９５では、表面のスキャンが終了したかどうかが、ＣＰＵ１１ａにより判定される。表面のスキャンが途中の場合には、Ｓ９５でＮＯ判定され、Ｓ９１に戻り、ＣＩＳ５０が原稿を再スキャンする。この間、原稿は搬送路３９に沿って送られてゆくので、再スキャンにより、次のラインが読み取られることになる。その後、Ｓ９３で読み取った画像に対して裏写り除去処理を行い、再度Ｓ９５で判定を行う。
【０１２９】
そして、表面のスキャンが完了するとＳ９５でＹＥＳ判定される。そして、スキャン済みの二枚目の原稿は、ローラ対３８ｃを介して、排紙トレイ３６上に排出される。
【０１３０】
その後、ＣＰＵ１１ａは、原稿センサ４２の出力に基づいて、原稿トレイ３５上に次の原稿があるか判定する（Ｓ９７）。そして、次の原稿がない場合、画像読取シーケンスはその時点で終了する。一方、次の原稿（３枚目）がある場合、ＡＤＦ３４により送りだされる３枚目の原稿は、ＣＩＳ５０による原稿の読み取りは実行されず、裏面の画像が読まれないまま、原稿は第２プラテンガラス３２上の読取位置Ｐを通過する（Ｓ９９）。
【０１３１】
その後、処理はＳ８７に戻り、原稿を反転させる処理が実行される。原稿が搬送路３９に送り返されると、Ｓ９１では１枚目の原稿で設定された第２読取条件を適用して、ＣＩＳ５０により、表面の読み取りが行われる。
【０１３２】
そして、表面のスキャンが完了すると、３枚目の原稿は、排紙トレイ３６上に排紙される。このような処理が繰り返され、全ての原稿について読み取りが完了すると、Ｓ９７でＹＥＳ判定され、画像読取シーケンスは終了する。
【０１３３】
このように「フロントページ解析」は、２枚目以降の原稿について画像の種類を判別せず（原稿解析をしない）、２枚目以降の表面の読み取りを１枚目原稿で設定した第２読取条件を適用して行っており、２枚目以降は解析用のスキャンを省ける。そのため、原稿解析を各頁ごとに適用して行う全解析に比べて、解析用のスキャンを省ける分だけ、原稿の搬送速度を上げることが可能であり、一枚の原稿の読み取りに必要な時間を短くできるというメリットがある。
【０１３４】
以上説明したように、実施形態１では画像の裏写りを利用して両面読取の１回目に解析用の画像データを取得し、取得した画像データによって画像種類の判別を行い、両面読取の２回目に判別結果に応じた第２読取条件で画像表面の画像を読み取るようにした。そのため解析用データの取得から原稿表面のスキャンまでの一連の処理を、ユーザの手を煩わすことなく全て自動化できる。従って、利便性が極めて高い。
【０１３５】
また、実施形態１では、第１読取条件の読取光量Ｑ２を、通常スキャン処理時に適用する通常読取条件の読取光量Ｑ１より大きく設定している。そのため、原稿に強い光が当たるから、原稿裏面に表面が裏写りし易くなる（原稿が透け易くなる）。また、第１読取条件の読取速度Ｑ２を、通常スキャン処理時に適用する読取速度Ｑ１より小さく設定している。そのため、原稿に対して光が長時間当たるので、やはり、原稿裏面に表面が裏写りし易くなる（原稿が透け易くなる）。そのため、原稿画像（表面の画像）について、裏写り画像としてより忠実に再現して読み取れるので、種類の解析精度が高まる。
【０１３６】
また、実施形態１では、スイッチバック方式の画像読取ユニットを適用している。そのため、解析処理用の画像を最大１ページ分取得できる。よって、解析に使用できるデータに制限がある場合に比べて、画像種類の解析精度を向上させることが可能となる。
【０１３７】
また、実施形態１では、原稿面を裏返してセットする旨のメッセージ（注意）が表示されるので、ユーザが原稿面の向きを誤って原稿を原稿搬送部にセットすることが少なくなる。
【０１３８】
また、実施形態１では、Ｓ１０１の裏写り促進処理（濃度補正処理）を設けて、裏写り画像の濃度を高くなるように補正している。そのため、濃度が低いまま画像解析を行う場合に比べて解析精度が高まり、画像の種類を正確に判別できる。
【０１３９】
また、実施形態１では、第２読取条件の読取光量Ｑを、第１読取条件時の読取光量である「Ｑ２」から通常読取条件時の読取光量である「Ｑ１」に戻している。そのため、原稿表面のスキャン時に、原稿表面に照射される光量が適量となる。以上のことから、光量過多による受光素子の飽和を防止することが可能となり、原稿の読み取り精度が高まる。
【０１４０】
また、実施形態１では、第２読取条件の読取速度Ｖを、第１読取条件時の読取速度である「Ｖ５」から解析結果に応じて決定されるモードおよび解像度に対応した「Ｖｂ」に変更している。そのため、原稿表面のスキャン時に、原稿表面に対する光の照射時間が適当な時間となる。以上のことから、光量過多による受光素子の飽和を防止することが可能となり、原稿の読み取り精度が高まる。
【０１４１】
＜実施形態２＞
次に、本発明の実施形態２を図１３ないし図１４によって説明する。
実施形態２は、実施形態１に対して、画像読取シーケンスのフロントページ解析（Ｓ１５、Ｓ８０〜Ｓ９９）の内容を変更したものである。
【０１４２】
実施形態１のフロントページ解析では、原稿トレイ３５に対し「全体を裏返した状態で原稿をセット」した。そして、原稿を裏面を上に向けた状態で搬送路３９に送り出し、ＣＩＳ５０を用いて裏写り画像Ｚを読み取った。そして、読み取った裏写り画像から１枚目原稿について画像の種類を判別し、判別結果に応じて第２読取条件を定めた。そして、原稿をスイッチバックさせて向きを反転させ、２回目にＣＩＳ５０の正面の読取位置Ｐを通過する時に、原稿表面の画像を第２読取条件で読み取るようにした。
【０１４３】
２枚目以降の原稿については、１枚目原稿で設定した第２読取条件を適用し、原稿表面の読み取りを行った。具体的には、２枚目以降の原稿も１枚目と同様にＡＤＦ３４を駆動させると、原稿は裏面を上に向けた状態で送りだされるから、送りだされた原稿がＣＩＳ５０の正面の読取位置Ｐを通過するときには、ＣＩＳ５０による読み取りは行わない（スルー）こととした。そして、読取位置を通過した原稿をスイッチバックさせて向きを反転させ、２回目にＣＩＳ５０の正面の読取位置Ｐを通過する時に、表面の画像をＣＩＳ５０で読み取るようにした。
【０１４４】
実施形態２のフロントページ解析は、２枚目以降の原稿について１枚目原稿で設定した第２読取条件を適用して表面の読み取る点は、実施形態１のフロントページ解析と共通している。相違点は、以下説明するように、原稿トレイ３５に対して「一枚目だけを裏返した状態で原稿をセット」することにより（図１３参照）、２枚目以降について原稿を反転（スイッチバック）させることなく、原稿表面の読み取りを可能にしたものである。
【０１４５】
図１４を参照して、実施形態２の画像読取シーケンスを説明する。Ｓ１０のスキャン選択処理で、フロントページ解析が選択されると、Ｓ１５では、操作部７０の表示部７１に案内画面として「一枚目だけを裏返して原稿をセットし、スタートキーを押してください」のメッセージが表示される（図略）。
【０１４６】
その後、原稿トレイ３５に、一枚目だけを裏返した状態で原稿がセットされ、操作部７０に設けられたスタートキーがユーザに操作されると、制御部１１のＣＰＵ１１ａは、スタートキーの入力操作を受け付ける。
【０１４７】
その後、処理はＳ２０に移行する。Ｓ２０では、選択されたスキャン処理が自動選択スキャン処理か判定される。ここでは、ＹＥＳ判定され、Ｓ５０に移行する。Ｓ５０では、ＣＰＵ１１ａにより、選択中の解析処理が「全解析」かどうか判定される。ここでは、フロントページ解析が選択されているから、Ｓ５０ではＮＯ判定される。その後、処理はＳ８０に移行する。
【０１４８】
Ｓ８０では、制御部１１のＣＰＵ１１ａによりＡＤＦ３４を駆動させる処理が開始される。これにより、原稿トレイ３５上にセットされた一枚目の原稿が裏面を上に向けた状態で、搬送路３９に送りだされる。
【０１４９】
原稿の搬送が開始されると、処理はＳ８１に移行する。Ｓ８１では実施形態１の場合と同じく、第１読取条件を適用して、ＣＩＳ５０により、裏面の読み取りが行われる。
【０１５０】
そして、Ｓ８１に続くＳ８５では、裏写り画像Ｚに基づいて、原稿表面の画像の種類を解析する解析処理２が実行される。これにて、１枚目原稿の画像種類の判別が行われ、その後、第２読取条件（モードと解像度）が画像の種類に応じて設定される（Ｓ１０３〜Ｓ１１５）。
【０１５１】
その後、Ｓ８７で原稿を反転させた後、Ｓ９１〜Ｓ９５にて第２読取条件を適用して原稿表面の画像が読み取られる。そして、原稿表面のスキャンが完了すると、１枚目の原稿は排紙トレイ３６上に排紙される。一方、処理はＳ９７に移行し、次の原稿があるかどうかについて判定処理が行われる。そして、次の原稿がない場合、画像読取シーケンスは、その時点で終了する。
【０１５２】
さて、次の原稿（２枚目原稿）がある場合には、２枚目の原稿がＡＤＦ３４により搬送路３９に送りだされる。ここで、２枚目以降の原稿は、原稿トレイ３５に対し表面を上に向けた状態でセットされているから、表面を上に向けた状態で送りだされる。
【０１５３】
一方、画像読取シーケンスは、２枚目原稿があると、Ｓ９７でＮＯ判定されるので、処理はＳ１０１に移行する。Ｓ１０１（Ｓ９１と同じ処理）では、１枚目原稿で設定した第２読取条件を適用して表面の画像が読み取られる。また、Ｓ１０３では裏写り除去処理（Ｓ９３と同じ処理）が実行される。そして、Ｓ１０５では、原稿表面のスキャンが完了したか判定が行われ、完了していなければ、Ｓ１０１に戻る。従って、表面のスキャンが完了するまでは、Ｓ１０１〜Ｓ１０３の処理が繰り返され、表面の読み取りが進められる。そして、原稿表面のスキャンが完了すると、Ｓ１０５でＹＥＳ判定され、原稿は反転されることなく、搬送路３９を通過して排紙トレイ３６上に排紙される。Ｓ９７の判定処理が再度行われる。そして、次の原稿がない場合、画像読取シーケンスは、その時点で終了する。
【０１５４】
一方、次の原稿（３枚目の原稿）がある場合には、３枚目の原稿がＡＤＦ３４により搬送路３９に送りだされる。ここで、３枚移行の原稿は、２枚目と同様に原稿トレイ３５に対し表面を上に向けた状態でセットされているから、表面を上に向けた状態で、送りだされる。
【０１５５】
一方、画像読取シーケンスは、３枚目原稿があると、Ｓ９７でＮＯ判定されるので、処理はＳ１０１に戻る。Ｓ１０１では、１枚目原稿で設定した第２読取条件を適用して表面の画像が読み取られる。また、Ｓ１０３では裏写り除去処理が実行される。そして、Ｓ１０５では表面のスキャンが完了したか判定が行われ、完了していなければ、Ｓ１０１に戻る。従って、表面のスキャンが完了するまでは、Ｓ１０１〜Ｓ１０３の処理が繰り返され、表面の読み取りが進められる。
【０１５６】
以上説明したように、実施形態２のフロントページ解析は、原稿トレイ３５に対して一枚目だけを裏返した状態で原稿をセットすることにより、２枚目以降について原稿を反転（スイッチバック）させることなく、表面を読み取れる。従って、実施形態１のフロントページ解析に比べて原稿の反転がない分、スキャン時間（原稿の読み取りに必要な時間）を短くすることが可能となる。
【０１５７】
＜実施形態３＞
次に、本発明の実施形態３を図１５ないし図１７によって説明する。
実施形態１、２では、原稿をスイッチバックさせることにより１つのＣＩＳ５０で原稿の２面（両面）を読み取るスイッチバック方式の画像読取ユニット１３を例示した。実施形態３では、２つのＣＩＳ１５１、１５３を用いて原稿の２面（両面）を個々に読み取るＷ−ＣＩＳ方式の画像読取ユニット１００を例示する。
【０１５８】
図１５は、画像読取ユニット１００の構成を簡略化して示す模式図である。複合機１の筐体３０は概ね箱形に形成されており、上部に第１プラテンガラス３１と第２プラテンガラス３２とが並設されている。
【０１５９】
原稿カバー１１０は筐体３０の上面を覆う閉姿勢と筐体３０の上面を開放する開姿勢とに回動可能に筐体３０に連結されている。原稿カバー１１０には、ＡＤＦ１２０、紙などの原稿が積載される原稿トレイ３５、排紙トレイ３６などが設けられている。
【０１６０】
ＡＤＦ１２０の内部には、分離ローラ１３０、分離ローラ１３０を軸支する軸に基端側を軸支されたアーム１３１の先端部に回転自在に設けられている吸入ローラ１３２、複数の搬送ローラ１３３、１３４、排紙ローラ１３５、これらに圧接する複数の従動ローラ１３６が設けられている。原稿はこれらのローラに搬送されて搬送路１４０上を搬送され、第２のＣＩＳ１５３による第２読取位置Ｐ２、および第１のＣＩＳ１５１による第１読取位置Ｐ１を順に通過して排紙トレイ３６上に排紙される。
【０１６１】
第１のＣＩＳ１５１は、筐体３０の内部に収容されており、原稿表面（第１面）を読み取る。第１のＣＩＳ１５３は等倍光学系を用いて原稿を読み取るものであり、図１５おいて紙面に垂直な主走査方向に直線状に配列された複数の受光素子を有するＣＭＯＳイメージセンサ、ＲＧＢ３色の発光ダイオードを有する光源、原稿で反射された反射光をＣＭＯＳイメージセンサの各受光素子に結像させるロッドレンズアレイ、これらが搭載されるキャリッジ、および、キャリッジを副走査方向（主走査方向に垂直な方向であって第１プラテンガラス３１の盤面に平行な方向）に往復移動させる図示しない搬送機構を備えている。
【０１６２】
第１のＣＩＳ１５１は、ＡＤＦ１２０によって搬送される原稿を読み取るときは第２プラテンガラス３２の下に停止し、光源の色を順に切り替えながら原稿を読み取る。一方、第１プラテンガラス３１上に載置されている原稿を読み取るときは、第１のＣＩＳ１５１は副走査方向に一定速度で移動しつつ、光源の色を順に切り替えながら原稿５を読み取る。
【０１６３】
第２のＣＩＳ１５３は、上方ＡＤＦ１２０の内部に固定されている。具体的には、第１のＣＩＳ１５１のほぼ真上にあり、第１のＣＩＳの上流（原稿の搬送方向上流）に位置している。この第２のＣＩＳ１５３は、ＡＤＦ１２０によって搬送される裏面（第二面）を読み取るものであり、その構成は、移動可能に構成されていない点を除いて第１のＣＩＳ１５１の構成と実質的に同一である。
【０１６４】
図１６は、画像読取ユニット１００の電気的構成を示すブロック図である。画像読取ユニット１００の電気的構成は、ＣＩＳの個数が２つになった点を除けば、実施形態１の画像読取ユニット１３の電気的構成と同じであり、ＡＳＩＣ６０、ＦＢモータ６４、ＦＢモータ駆動回路６５、ＡＤＦモータ６６、ＡＤＦモータ駆動回路６７、ＣＩＳ１５１、１５３、光源制御回路６８、ＡＦＥ６９、原稿センサ４２、操作部７０などを備えて構成されている。
【０１６５】
尚、第１のＣＩＳ（本発明の「第１読取部」に対応）１５１と第２のＣＩＳ（本発明の「第２読取部」に対応）１５３が本発明の「両面読取部」に対応する。また、ＡＤＦ１２０のうちの各ローラ１３２、１３３、１３５とそれを駆動するＡＤＦモータ６６が本発明の「原稿搬送部」に対応する。
【０１６６】
次に、実施形態３の画像読取シーケンスについて説明する。実施形態３の画像読取シーケンスは、両面スキャン処理と、自動選択スキャン処理を選択的に行うことが可能である点は実施形態１や実施形態２の画像読取シーケンスと共通している。実施形態１、２の画像読取シーケンスでは、両面スキャン処理、自動選択スキャン処理のいずれを選択するのかは、ユーザに任せられており、表示部７１の案内画面や選択画面に従って入力操作を行うことで、実行されるスキャン処理が決定されていた。
【０１６７】
実施形態３の画像読取シーケンスでは、スキャン処理のパターンを、ＣＰＵ１１ａに自動選択させるものであり、原稿トレイ３５に原稿をセットした後、スタートキーが押されると、両面原稿の場合には両面スキャン処理が自動選択され、片面原稿の場合には自動選択スキャン処理が自動選択されるようになっている。尚、この実施形態では、原稿トレイ３５に対する原稿のセット方法は、一般的なセット方法と同じく、表面を上に向けてセットすればよい。
【０１６８】
以下、図１７を参照して実施形態３の画像読取シーケンスについて詳しく説明する。画像読取シーケンスは複合機１の起動に伴って実行され、起動直後、スタートキーの入力操作を待つ待機状態となる。
【０１６９】
そして、原稿トレイ３５に対して表面を上に向けた状態で原稿がセットされ、ユーザによりスタートキーが押されると、待機状態を解除してＳ２００に移行する。Ｓ２００では、制御部１１のＣＰＵ１１ａによりＡＤＦ１２０を駆動させる処理が開始される。これにより、原稿トレイ３５上にセットされた一枚目の原稿が、表面を上に向けた状態で、搬送路１４０に送りだされる。
【０１７０】
尚、送り出された一枚目の原稿は、表面のみ画像を有する片面原稿であり、原稿画像はカラーかつ写真であったものとする。さて、原稿の搬送が開始されると、処理はＳ２１０に移行する。Ｓ２１０では、ＣＰＵ１１ａにより、第２のＣＩＳ１５３の読取条件が、第１読取条件に設定される。これにより、第２のＣＩＳ１５３のモードは「カラー」に設定される。また、解像度は「６００ｄｐｉ」に設定される。また、読取光量は「Ｑ２」に設定され、読取速度は「Ｖ５」に設定される。
【０１７１】
そして、設定された第１読取条件を適用して、第２のＣＩＳ１５３により、裏面に画像のない片面原稿にもかかわらず、裏面の読み取りが行われる。具体的には、ＡＤＦ１２０により送りだされた原稿は、搬送路１４０に沿って送られてゆき、第２読取位置Ｐ２に接近してゆく。そして、ＣＰＵ１１ａは、原稿が第２読取位置Ｐ２を通過する時に、第２のＣＩＳ１５３に裏面の画像を１ライン読み取らせる。より詳しく言えば、ＣＰＵ１１ａは、ＡＳＩＣ６０を介して駆動回路６７、光源制御回路６８やＡＦＥ６９を制御することにより、解析処理用として設定された第１読取条件で、第２のＣＩＳ１５３に裏面の画像を１ライン読み取らせる。ＣＰＵ１１ａにより実行されるＳ２１０の処理により、本発明の「第１制御部」の機能が実現されている。
【０１７２】
そして、続くＳ２２０では、裏写り画像判定に必要なライン数（例えば、３ライン）、画像データが読み取れたか、ＣＰＵ１１ａにより判定される。Ｓ２２０でＮＯ判定された場合、処理はＳ２３０に移行する。Ｓ２３０ではＣＰＵ１１ａにより、原稿先端が第１のＣＩＳ１５１の手前に達したがどうか判定される。そして、原稿の先端が第１のＣＩＳ１５１の手前に到達していなければ、Ｓ２３０でＮＯ判定され、この場合、処理はＳ２１０に戻る。そして、Ｓ２１０では、第１読取条件を適用して、ＣＰＵ１１ａにより制御された第２のＣＩＳ１５３が原稿を再スキャンする。この間、原稿は搬送路１４０に沿って送られてゆくので、再スキャンにより、原稿裏面の次のラインが読み取られることになる。このような処理を繰り返すことで、原稿の先端が第１のＣＩＳ１５１の手前に到達するまでの間、第２のＣＩＳ１５３による原稿裏面の読み取りが進められる。
【０１７３】
そして、Ｓ２１０にて第２のＣＩＳ１５３で読み取ったラインＬの数が、解析に必要なライン数に達すると、Ｓ２２０でＹＥＳ判定され、処理はＳ２４０に移行する。
【０１７４】
そして、Ｓ２４０では、読み取った画像データが裏写り画像（原稿裏面に表面の画像が透けて裏写りした画像）Ｚか判定する処理が、ＣＰＵ１１ａにより実行される。尚、ＣＰＵ１１ａが行うＳ２４０の処理により本発明の「判定部」の機能が実現されている。
【０１７５】
具体的には、読み取った画像データの最高濃度をＡＳＩＣ６０により検出し、ＣＰＵ１１ａは、それを予め設定した基準値と比較する。基準値は、原稿面に形成された画像の平均的な濃度値より低く、かつ裏写り画像Ｚの場合には出現する可能性の低い濃度値に設定してある。そして、算出した最高濃度が基準値未満であれば、裏写り画像Ｚと判定される。この判定方法は、最高濃度の検出処理と比較処理の極めて簡単な処理だけで構成できるので、ＣＰＵ１１ａやＡＳＩＣ６０の処理負担が大きくならないメリットがある。
【０１７６】
この例では、一枚目の原稿は片面原稿であり、第２のＣＩＳ１５３は、画像が形成されていない原稿裏面に透けて写り込んだ裏写り画像Ｚを読み取る。そのため、Ｓ２１０にて取得される画像データの最高濃度は基準値未満となる。従って、Ｓ２４０にてＹＥＳ判定されることとなる。
【０１７７】
Ｓ２４０でＹＥＳ判定されると、次に処理はＳ２５０の解析処理３に移行する。この解析処理３は、図１１のＳ１０１〜Ｓ１１７と同様の処理であり、Ｓ１０１では先に説明した促進処理が実行される。その後、処理はＳ１０３に移行して、読み取った画像がカラー画像かモノクロ画像かを判別する処理がＣＰＵ１１ａにより判定される。
【０１７８】
この例では、原稿はカラー原稿であるため、Ｓ１０３の判別処理でＹＥＳ判別され、その後処理はＳ１０５に移行する。そして、Ｓ１０５では第２読取条件についてモードがカラーに設定される。Ｓ１０５の処理が終了すると、続くＳ１０９では、読み取った画像が文書画像か、判別する処理がＣＰＵ１１ａにより判定される。この例では、原稿は文書画像ではない（写真）ので、Ｓ１０９の判別処理でＮＯ判定され、その後処理はＳ１１５に移行し、第２読取条件について解像度が６００ｄｐｉに設定される。尚、ＣＰＵ１１ａにより実行されるＳ１０３〜１０９の処理により本発明の「解析部」の機能が実現されている。
【０１７９】
そして、Ｓ１１５の処理が終了すると、続くＳ１１７では、読み取った画像を消去する処理が行われ、処理は図１７中のＳ２６０に戻る。
【０１８０】
さて、Ｓ２６０では、ＣＰＵ１１ａにより、第１のＣＩＳ１５１の読取条件が、Ｓ２５０の解析処理３にて設定された第２読取条件に設定される。これにより、第１のＣＩＳ１５１のモードは「カラー」に設定される。また、解像度は「６００ｄｐｉ」に設定される。また、読取光量は「Ｑ１」に設定され、読取速度は「Ｖｂ（具体的にはＶ４）」に設定される。そして、設定された第２読取条件を適用して、第１のＣＩＳ１５１により、原稿表面の読み取りが行われる。
【０１８１】
具体的には、搬送路１４０を送られる一枚目の原稿は、やがて、第２プラテンガラス３２上の第１読取位置Ｐ１に接近してゆく。そして、ＣＰＵ１１ａは一枚目の原稿が第１読取位置Ｐ１を通過する時に、第１のＣＩＳ１５１に、表面の画像を１ライン読み取らせる。より詳しく言えば、ＣＰＵ１１ａは、ＡＳＩＣ６０を介して駆動回路６７、光源制御回路６８やＡＦＥ６９を制御することにより、設定された第２読取条件で、第１のＣＩＳ１５１に表面の画像を１ライン読み取らせる。ＣＰＵ１１ａにより実行されるＳ２６０の処理により、本発明の「第２制御部」の機能が実現されている。
【０１８２】
続く、Ｓ２７０では、ＣＰＵ１１ａにより裏写り除去処理が行われる。その後、Ｓ２８０に処理は移る。そして、Ｓ２８０では、１枚目の原稿について、原稿表面のスキャンが終了したか（全ラインをスキャンしたか）、ＣＰＵ１１ａにより判定される。原稿表面のスキャンが途中の場合には、Ｓ２８０でＮＯ判定され、Ｓ２６０に戻る。Ｓ２６０では、第２読取条件を適用して、第１のＣＩＳ１５１が再スキャンする。この間、一枚目の原稿は搬送路１４０に沿って送られてゆくので、再スキャンにより、表面の次のラインが読み取られることになる。このような処理を繰り返すことで、第１のＣＩＳ１５１による表面の読み取りが進められる。
【０１８３】
そして、表面のスキャンが完了するとＳ２８０でＹＥＳ判定される。そして、表面読み取り済みの１枚目の原稿は排紙ローラ１３５を介して、排紙トレイ３６上に排出される。
【０１８４】
その後、ＣＰＵ１１ａは原稿トレイ３５上に次の原稿があるか否かの判定を行う（Ｓ２９０）。そして、次の原稿がない場合、画像読取シーケンスは、その時点で終了する。
【０１８５】
さて、次の原稿がある場合に、その原稿（ここでは２枚目の原稿は両面原稿であるとして説明を進める）は、ＡＤＦ１２０により搬送路１４０に送りだされる。一方、画像読取シーケンスは、次原稿があると、Ｓ２９０でＮＯ判定されるので、処理はＳ２１０に戻る。
【０１８６】
Ｓ２１０では、先に説明したように、第１読取条件を適用して第２のＣＩＳ１５３により、原稿裏面の読み取りが行われる。そして、Ｓ２１０にて第２のＣＩＳ１５３で読み取ったラインＬの数が、解析に必要なライン数に達すると、Ｓ２２０でＹＥＳ判定され、処理はＳ２４０に移行する。Ｓ２４０では、読み取った画像が裏写り画像Ｚか判定する処理が、ＣＰＵ１１ａにより実行される。
【０１８７】
具体的には、読み取った画像データの最高濃度を検出し、それを予め設定した基準値と比較する。そして、算出した最高濃度が基準値未満であれば、裏写り画像と判定される。
【０１８８】
この例では、２枚目の原稿は両面原稿である。そのため、第２のＣＩＳ１５３により読み取られる画像データは、裏面に直接印刷された通常の画像データを含む。従って、画像データの最高濃度は基準値を超える。以上のことから、Ｓ２４０ではＮＯ判定されることとなり、処理はＳ３００に移行する。
【０１８９】
Ｓ３００では、第２のＣＩＳ１５３、第１のＣＩＳ１５１を用いて、原稿の両面がスキャンされる。すなわち、２枚目原稿の先端が、第１読取位置Ｐ１に到達するまでの間は、第２のＣＩＳ１５３により、２枚目の原稿の裏面が読み取られる。
【０１９０】
そして、２枚目原稿の先端が第１読取位置Ｐ１に到達すると、第２のＣＩＳ１５３による裏面の読み取りと並行して、第１のＣＩＳ１５１により、表面の画像が読み取られる。
【０１９１】
そして、原稿裏面について全ラインのスキャンが終了すると、そこで、第２のＣＩＳ１５３による画像の読み取りが終了する。それ以降は、第１のＣＩＳ１５１による表面の画像の読み取りのみが続行される。そして、原稿表面について全ラインのスキャンが終了すると、第１のＣＩＳ１５１による画像の読み取りが終了する。かくして、２枚目原稿の表面と裏面の双方が読み取られる。
【０１９２】
尚、図１７中は省略してあるが、このＳ３００では、各ＣＩＳ１５１、１５３が原稿画像を１ライン読み込むたびに、裏写り除去処理が行われる。また、Ｓ３００中における第２のＣＩＳ１５３の読取条件は第１読取条件が適用され、第１のＣＩＳ１５１の読取条件はモード、解像度および読取光量には通常読取条件が適用される。ただし、読取速度には第１読取条件（読取速度Ｖ５）が適用される。なぜなら、両ＣＩＳ１５１、１５３の読み取りが並行して行われるためである。
【０１９３】
以上説明したように、実施形態３では、原稿トレイ３５に原稿をセットした後、スタートキーが押されると、両面原稿の場合には両面スキャン処理が自動選択され、片面原稿の場合には、自動選択スキャン処理が自動選択される。そのため、使い勝手がよい。
【０１９４】
尚、実施形態３では、原稿の両面に画像がある場合、両面とも第１読取条件が適用された読取速度Ｖ５で読み取られ、原稿の裏面については、第１読取条件が適用された読取光量Ｑ２で読み取られるので、読み取られた画像データの濃度は、通常読取条件や第２読取条件で読み取った場合よりも高くなる。従って、原稿の画像を正規に読み取った画像データおよび裏写り画像データともに、濃度が高くなる。そのため、Ｓ２７０の裏写り除去処理では、図１０（ａ）の点線で示すように、領域Ｂよりも狭くかつ原稿の画像を正規に読み取った画像データが分布すると推測される領域については、読み取ったデータの濃度に対して濃度変換後のデータの濃度が小さくなるように補正し、前述の領域以外であり、かつ領域Ａを含む、裏写り画像データが分布すると推測される領域については、読み取ったデータの濃度に対して濃度変換後のデータの濃度が極めて小さく、つまり、読み取った画像が白くなるように補正する。
【０１９５】
＜他の実施形態＞
本発明は上記記述及び図面によって説明した実施形態に限定されるものではなく、例えば次のような実施形態も本発明の技術的範囲に含まれる。
【０１９６】
（１）実施形態１〜３では、画像読取装置の一例に複合機を例示したが、印刷ユニットが必ずしも必要でなく、少なくとも制御部１１と画像読取ユニットを備えた構成であればよい。
【０１９７】
（２）実施形態１〜２では、スイッチバック方式の画像読取ユニットを例示したが、実施形態１〜２に対して、ＣＩＳを２組使用するＷ−ＣＩＳ方式の画像読取ユニットを適用することが可能である。尚、その場合には、画像読取シーケンスについても、実施形態１や実施形態２と同様に、両面スキャン処理、自動選択スキャン処理のいずれを選択するのかはユーザに任せ、選択されたスキャン処理が実行させるようなシーケンスとすることが可能となる。
【０１９８】
そして、Ｗ−ＣＩＳ方式を採用した場合には、画像の種類に応じた読み取り条件を自動選択する自動選択スキャン処理を行う場合であっても、原稿トレイにセットする原稿の向きが通常スキャン処理と同じになるので、利便性が高いというメリットがある。
【０１９９】
（３）実施形態１では、Ｓ３０にてＡＤＦ３４を駆動させる時に、読取速度Ｖａを設定して、読み取り対象の原稿を、搬送開始時から搬送速度（読取速度）Ｖａにて搬送する例を挙げた。このような設定の他にも、例えば、上流側のジャムセンサ４３によって原稿先端を検知してから原稿先端が読取位置Ｐの手前に到達するまでの所定時間経過後、読取速度Ｖａで搬送するようにしてもよい。
【０２００】
（４）実施形態１では、解析に必要なライン数、画像データが取得された時点（Ｓ１００：ＹＥＳ）で、ＣＩＳ５０による原稿裏面の読み取りを中止する例を説明したが、第２読取条件の設定が終了した時点で、ＣＩＳ５０による原稿裏面の読み取りを中止することも可能である。
【符号の説明】
【０２０１】
１…複合機（本発明の「画像読取装置」、「画像形成装置」の一例）
１１…制御部
１１ａ…ＣＰＵ
１３…画像読取ユニット
１５…印刷ユニット
３４…ＡＤＦ
３９…搬送路
４０…スイッチバック路
４１…フラッパ
２６…ファンモータ
５０…ＣＩＳ
５１…イメージセンサ
５２…光源
７０…操作部
７１…表示部
【図１】
2012147382.tif 000003
【図２】
2012147382.tif 000004
【図３】
2012147382.tif 000005
【図４】
2012147382.tif 000006
【図５】
2012147382.tif 000007
【図６】
2012147382.tif 000008
【図７】
2012147382.tif 000009
【図８】
2012147382.tif 000010
【図９】
2012147382.tif 000011
【図１０】
2012147382.tif 000012
【図１１】
2012147382.tif 000013
【図１２】
2012147382.tif 000014
【図１３】
2012147382.tif 000015
【図１４】
2012147382.tif 000016
【図１５】
2012147382.tif 000017
【図１６】
2012147382.tif 000018
【図１７】
2012147382.tif 000019